(57)【特許請求の範囲】
【請求項１】
ボディと、
このボディの上面に前後方向に沿って設けられた、生餌としての生魚が取り付けられうる平坦部と、
この平坦部の前端部分であって、ボディの前部上面に設けられたヘッドカバーと
を備えており、
上記平坦部の両側部に側壁が形成されており、
上記側壁に、その上端縁から上記平坦部の上面又はその近傍に至る切り欠き部が形成されているエギ。
【請求項２】
ボディと、
このボディの上面に前後方向に沿って設けられた、生餌としての生魚が取り付けられうる平坦部と、
この平坦部の前端部分であって、ボディの前部上面に設けられたヘッドカバーと
を備えており、
上記平坦部に、ボディの幅方向に延びる溝が形成されており、
上記溝が複数本形成されており、溝と溝との間に形成された凸条に、発光チューブが着脱可能に嵌着される係合凹部が形成されているエギ。
【請求項３】
上記平坦部の両側部に側壁が形成されている請求項２に記載のエギ。
【請求項４】
上記ボディの下面及び上記側壁の上端縁のそれぞれに、係止用紐状部材が係合されうる係止凹部が形成されている請求項１又は３に記載のエギ。
【請求項５】
上記平坦部に、ボディの幅方向に延びる溝が形成されている請求項１に記載のエギ。
【請求項６】
上記溝が複数本形成されており、溝と溝との間に形成された凸条に、発光チューブが着脱可能に嵌着される係合凹部が形成されている請求項５に記載のエギ。
【請求項７】
上記側壁に、その上端縁から上記平坦部の上面又はその近傍に至る切り欠き部が形成されている請求項３に記載のエギ。
【発明の詳細な説明】
【技術分野】
【０００１】
本発明は、主にイカ釣りに用いられるエギ（疑似餌）に関する。
【背景技術】
【０００２】
「エギング」と称されるイカ釣りが、盛んに行われている。このイカ釣りには、エギが用いられる。図６に示されるように、エギ５１は、ボディ５２と、アイ５３と、針部５４と、重錘５５とを備えている。ボディ５２は木又は合成樹脂からなり、エビに似た形態を備えている。アイ５３には、図示しないラインが結ばれる。キャストされ、着水したエギ５１は、海底に向かって沈降する。この動作は、「フォール」と呼ばれている。釣竿が大きく上方にしゃくられると、ラインに引っ張られてエギ５１は高速で上方へと移動する。この動作は、「ジャンプ」と称されている。ラインが巻かれつつ竿先が左右に連続的に動かされると、エギ５１はジグザグに移動する。この動作は、「ダート」と称されている。これらの動作により、イカはエギ５１を餌と勘違いし、エギ５１を触手で掴む。このとき、イカに針部５４が引っかかり、イカが釣り上げられる。
【０００３】
図６に示されるような、いわゆる餌巻きエギ５１というものがエギングに使用されることがある。餌巻きエギ５１は、エギのボディ５２に、生餌としての生魚５６を一体的に取り付けたものである。この餌巻きエギ５１は、イカをより効果的に誘うためのものであり、エギ５１を掴んだイカにできるだけ違和感を与えないようにするためのものである。
【０００４】
図示のとおり、餌巻きエギ５１のボディ５２の上面５７、すなわち、背中に相当する部分５７は、生魚５６を乗せやすいように平坦にされている。その他の構成は、通常の一般的なエギと変わらない。生魚５６は、この平坦な背中５７の上に乗せられた上で、ボディ５２に縛り付けられる。生魚５６は、輪ゴムでボディ５２に止められた場合は、水中ですぐに位置ズレしたり外れてしまったりする。通常は、生魚５６は針金５８によってボディ５２にしっかりと縛り付けられる。このため、生魚５６は痛みやすい。針金５８によってしっかりと縛り付けられているので、生魚５６を取り替える作業は容易ではない。
【０００５】
餌巻きエギ５１が水中でしゃくられたりすると、生魚５６もボディ５２と同様にその前端部に相当な水の抵抗を受ける。その結果、生魚５６の頭部５６ａがめくり上げられる。上記のように、針金５８によってしっかりと縛り付けられている場合は、頭部５６ａがちぎれるおそれもある。
【０００６】
イカ釣り用の疑似餌のうち、魚の切り身を巻き付けて使用される餌巻きスッテと呼ばれるものが、特開２０１０−２６３７９２公報に開示されている。この餌巻きスッテも、前述の問題は解消されていない。
【先行技術文献】
【非特許文献】
【０００７】
【非特許文献１】特開２０１０−２６３７９２公報
【発明の概要】
【発明が解決しようとする課題】
【０００８】
本発明は、前述した現状に鑑みてなされたものであり、生餌としての生魚を取り付けやすく、取り外しやすく、且つ、取り付けられた生魚が痛みにくいエギを提供することを目的としている。
【課題を解決するための手段】
【０００９】
本発明に係るエギは、
ボディと、
このボディの上面に前後方向に沿って設けられた、生餌としての生魚が取り付けられうる平坦部と、
この平坦部の前端部分であって、ボディの前部上面に設けられたヘッドカバーと
を備えている。
【００１０】
好ましくは、上記平坦部の両側部に側壁が形成されている。
【００１１】
好ましくは、上記ボディの下面及び上記側壁の上端縁のそれぞれに、係止用紐状部材が係合されうる係止凹部が形成されている。
【００１２】
好ましくは、上記平坦部に、ボディの幅方向に延びる溝が形成されている。さらに好ましくは、この溝が複数本形成されており、溝と溝との間に形成された凸条に、発光チューブが着脱可能に嵌着される係合凹部が形成されている。
【００１３】
好ましくは、上記側壁に、その上端縁から上記平坦部の上面又はその近傍に至る切り欠き部が形成されている。
【発明の効果】
【００１４】
本発明に係るエギは、生魚を取り付けやすく、取り外しやすく、且つ、取り付けられた生餌としての生魚が痛みにくい。
【図面の簡単な説明】
【００１５】
【図１】図１は、本発明の一実施形態に係るエギを、生餌としての生魚とともに示す正面図である。
【図２】図２は、図１のエギの一部切り欠き正面図である。
【図３】図３は、図１のエギの平面図である。
【図４】図４は、図１のエギの底面図である。
【図５】図５は、本発明の他の実施形態に係るエギを示す一部切り欠き正面図である。
【図６】図６は、生餌としての生魚が取り付けられた、従来の餌巻きエギの一例を示す斜視図である。
【発明を実施するための形態】
【００１６】
以下、適宜図面が参照されつつ、好ましい実施形態に基づいて本発明が詳細に説明される。
【００１７】
図１に示されたエギ１は、ボディ２、アイ３、針部４及び重錘５を備えている。図１において、左側がエギ１の前側であり、右側がエギ１の後側である。
【００１８】
ボディ２の形状は、エビに類似している。ボディ２は、ヘッド６及びテール７を有している。ボディ２は、木又は合成樹脂からなる。本実施形態では、ボディ２として、後述するように透明の合成樹脂が採用されている。ボディ２の表面は、着色されてもよい。ボディ２の表面に、模様が画かれてもよい。着色や模様は、イカに対するアピールに寄与する。ボディ２にクロスが巻かれ、このクロスが着色されてもよい。
【００１９】
アイ３は、ボディ２の前端に位置する。アイ３は、金属線が曲げられて形成されている。金属線の後端は、ボディ２に埋め込まれており、ボディ２に堅固に固定されている。このアイ３には、図示しないラインが結ばれる。金具を介して、ラインがアイ３に連結されてもよい。
【００２０】
針部４は、ボディ２の後端に位置する。針部４は、軸８、前針９及び後針１０からなる。軸８の前端は、ボディ２に埋め込まれており、ボディ２に堅固に固定されている。前針９は、軸８の途中から前方に向かって延びている。多数の前針９が、放射状に配列されている。後針１０は、軸８の後端から前方に向かって延びている。多数の後針１０が、放射状に配列されている。前針９及び後針１０は、先細り形状である。イカがエギ１に抱きついたとき、イカの触手が前針９又は後針１０に引っ掛かる。これにより、イカが釣り上げられる。
【００２１】
重錘５は、ボディ２の前部の下面に取り付けられている。重錘５は、海水の比重よりも大きな比重を有する。重錘５の比重は、ボディ２の比重よりも大きい。重錘５の典型的な材質として、鋼、鉛、鉛合金及びタングステン合金が挙げられる。本実施形態では、ボディ２の前部の下面に重錘収容部１１が形成されている。この重錘収容部１１内に、複数個の鋼球等からなる複数個の重錘５が収容されている。この個数を増減することによってエギの質量や重心位置が調節されうるように構成されてもよい。しかし、本発明ではかかる鋼球等からなる重錘５には限定されない。板状の重錘が採用されてもよい。ヘッド６に着脱可能な仮面状等の重錘が採用されてもよい。
【００２２】
図１に示されるように、エギ１には生餌としての生魚１２が取り付けられている。このエギ１は、いわゆる餌巻きエギ１である。生魚１２は、ボディ２の上面、すなわち、背中に相当する部分１３に載置され、係止用紐状部材１４によって縛り付けられている。生魚１２を縛るための係止用紐状部材としては、輪ゴム、針金、釣り糸等が例示されうる。本実施形態では、係止用紐状部材として輪ゴム１４が使用されている。
【００２３】
生魚１２は、その頭部１２ａがボディ２の前部に位置するように、ボディ２に取り付けられている。この生魚１２としては、イカナゴ、キビナゴ、ドジョウ等が例示される。この生魚１２により、イカに対するアピールがより効果的になされる。さらに、エギ１を掴んだイカが違和感を覚えないことが期待できる。もちろん、ボディ２に取り付けられる餌は、生魚１２には限定されない。魚の切り身等、使用者の好みの餌を取り付けることができる。
【００２４】
図１から図３に示されるように、ボディ２の背中１３は、生魚１２を乗せやすいように概ね平坦にされている。この平坦部（背中）１３はヘッド６又はその近傍から、テール７又はその近傍まで、前後方向に延びている。
【００２５】
平坦部１３の前端部にはヘッドカバー１５が形成されている。平坦部１３の前端部近傍は、ヘッドカバー１５によって覆われている。ヘッドカバー１５はボディ２と一体に形成されているが、着脱可能にしてもよい。ヘッドカバー１５はドーム状になっており、後端部が開放されている。ヘッドカバー１５の横断面はアーチ状を呈している。平坦部１３に生魚１２が取り付けられる際、その頭部１２ａがヘッドカバー１５内に挿入されうる。ヘッドカバー１５の内部は、頭部挿入空間１９である。これにより、エギ１が水中でしゃくられても、生魚１２の頭部１２ａは直接に水の抵抗を受けることがない。頭部１２ａが水流にめくり上げられることによる生魚１２の痛みが防止される。
【００２６】
平坦部１３の両側部には側壁１６が形成されている。本実施形態では、側壁１６は、上記ヘッドカバー１５の後端から、ボディ２のテール７近傍まで、前後方向に延びている。従って、平坦部１３がヘッドカバー１５と側壁１６とに囲まれた構造は、溝又は凹所とも呼べるものである。側壁１６の高さは、ヘッドカバー１５の後端からボディ２の後方に向けて漸減している。この目的は、側壁１６の高さ分布を、生魚１２の体形にほぼ沿わせることである。本発明では、このような側壁１６の形状には限定されない。側壁１６の高さは、例えば、ヘッドカバー１５の後端から平坦部１３の中間部あたりまで均一にされ、この中間部あたりからテール７に向けて漸減させられてもよい。
【００２７】
図１及び図２に示されるように、側壁１６の上端縁１７には、複数個の係止凹部１８が間隔をおいて形成されている。この係止凹部１８は、生魚１２を縛るための係止用紐状部材（輪ゴム）１４を係止するためのものである。
【００２８】
側壁１６のうち後方の低い部分を除いた範囲では、平坦部１３上面からの上記係止凹部１８の高さは、平坦部１３上に横たえられた生魚１２の胴部の高さの１／２以上あるのが好ましい。このようにすれば、生魚１２をたとえ針金等で縛り付けても、上記側壁１６の存在により、針金等から生魚１２に加わる剪断力は大きくない。従って、生魚１２が痛むことが抑制される。また、この側壁１６により、生魚１２は、激しいしゃくり時においても平坦部１３上で移動しにくい。
【００２９】
エギ１の底面図である図４も併せて参照すれば明らかなように、ボディ２の下面２０にも、係止用紐状部材を係止するための係止凹部２１が形成されている。図４の左右方向は、ボディ２の前後方向（長手方向）であり、図４の上下方向は、ボディ２の幅方向である。係止凹部２１は、前後方向に間隔をおいて配列されている。この係止凹部２１は、ボディ２の幅方向に延びる溝状を呈しているので、係止溝２１と呼ぶ。
【００３０】
ボディ２の下面２０には、さらに、係止用紐状部材を係止するための係止凸部２２が突設されている。この係止凸部２２は、例えば、輪ゴム１４を引っかけて、生魚１２を縛るための基点及び終点になりうるので好ましい。かかる観点からは、係止凸部２２は、上記複数個の係止溝２１群の前後両端又はその近傍に形成されるのが好ましい。しかし、本発明ではかかる構成には限定されない。
【００３１】
図３には、上記平坦部１３の上面が示されている。図２及び図３から明らかなように、平坦部１３の上面には、その幅方向に延びる複数本の溝２３が相互に平行に形成されている。平坦部１３に生魚１２が縛り付けられたときでも、生魚１２の肉体はこの溝２３内に深くは進入し得ない。溝２３が空間として維持される。生魚１２を平坦部１３から取り出す場合、細い棒等をこの溝２３に差し込んで掘り起こす。このようにすれば、生魚１２を取り出す作業は容易である。この目的からすれば、溝２３は一本だけ形成されてもよい。また、図２及び図４に示されるように、溝２３と溝２３との間には、幅方向に延びる凸条２４が必然的に形成される。複数本の凸条２４により、平坦部１３上における生魚１２の長手方向の滑りが抑制される。これが溝２３の主目的である。従って、溝２３は複数本形成されるのが好ましい。
【００３２】
上記複数本の凸条２４の中間部には、それぞれ係合凹部２５が形成されている。この係合凹部２５には、発光チューブ２６が着脱可能に嵌着される。発光チューブ２６は市販の釣り用品である。発光チューブ２６は、軽く折り曲げられると、内部の化学物質が化学反応によって発光するものである。発光は数時間継続されることもある。この発光がイカにアピールしうる。発光チューブ２６が取り付けられるエギ１は、そのボディ２が透明又は半透明の合成樹脂から形成される。少なくとも、上記発光チューブ２６の取付部位より下方は透明又は半透明にされる。発光チューブ２６を係合凹部２５から取り外す場合でも、細い棒等を上記溝２３に差し込んで発光チューブ２６を掘り起こせば、取り外し作業は容易である。
【００３３】
図５には、他の実施形態に係るエギ３１が示されている。このエギ３１は、図１から図４に示されるエギ１とは、その側壁３２の形状のみが異なる。両エギ１、３１のその他の形状及び構造は同一である。従って、図５については、図１のエギ１と同一構成の部分及び部品については同一符号が付され、その説明が省略される。
【００３４】
このエギ３１にも、平坦部１３の両側部に側壁３２が形成されている。この側壁３２は、ヘッドカバー１５の後端から、ボディ２のテール７近傍まで、前後方向に延びている。この側壁３２には、長手方向に間隔をおいて切り欠き部３３が形成されている。この切り欠き部３３の下端は、平坦部１３の上面又はその近傍に至っている。換言すれば、上記側壁３２は、ボディ２の長手方向に間隔をおいて形成された、すなわち、切り欠き部３３を介して形成された複数枚の係止板３４の集合とも言える。係止板３４には生魚１２が係止される。この係止板３４により、生魚１２は、激しいしゃくり時においても平坦部１３上で滑って移動することが防止される。このように、係止板３４は、前述した側壁１６（図１、図２）としての作用を奏しうる。
【００３５】
係止板３４の高さは、ボディ２の後方に位置する係止板３４ほど低くされている。しかし、本発明ではかかる構成に限定されない。各係止板３４の上端には、係止用紐状部材（輪ゴム）１４を係止するための係止凹部１８が形成されている。
【００３６】
このエギ３１では、平坦部１３から生魚１２を取り出す場合、細い棒等を上記切り欠き部３３から平坦部１３に差し込んで掘り起こせば、生魚１２を取り出す作業は容易である。このため、図１から図３に示すような溝２３は、特段に必要とはしない。しかし、必要に応じて、発光チューブ２６を嵌着するためには、平坦部１３に嵌着用の凹所を設けておいてもよい。この場合、上記発光チューブ２６を取り外すために、上記切り欠き部３３が有用である。細い棒等を切り欠き部３３を通して、発光チューブ２６の下側に差し込んで掘り起こせば、取り外し作業は容易である。
【産業上の利用可能性】
【００３７】
本発明に係るエギは、種々の目・科に属するイカの釣りに用いられうる。このエギは、タコの釣りにも用いられうる。
【符号の説明】
【００３８】
１、３１・・・エギ
２・・・ボディ
３・・・アイ
４・・・針部
５・・・重錘
６・・・ヘッド
７・・・テール
８・・・軸
９・・・前針
１０・・・後針
１１・・・重錘収容部
１２・・・生魚
１３・・・背中（平坦部）
１４・・・輪ゴム
１５・・・ヘッドカバー
１６、３２・・・側壁
１７・・・（側壁の）上端縁
１８・・・係止凹部
１９・・・頭部挿入空間
２０・・・（ボディの）下面
２１・・・係止溝
２２・・・係止凸部
２３・・・溝
２４・・・凸条
２５・・・係合凹部
２６・・・発光チューブ
３３・・・切り欠き部
３４・・・係止板
【図１】
0005956771.tif 000002
【図２】
0005956771.tif 000003
【図３】
0005956771.tif 000004
【図４】
0005956771.tif 000005
【図５】
0005956771.tif 000006
【図６】
0005956771.tif 000007